(57)【要約】【課題】照明機器とプロジェクターとが共通の一つのスイッチを介して電源に電気的に接続されていても、そのスイッチを開閉するだけで、一方がＯＮになり他方がＯＦＦになるＯＮ・ＯＦＦパターンを実現すること。【解決手段】アダプターが、外部から電力が供給される第１の端子と、照明機器またはプロジェクターの受電端子に電気的に連結される第２の端子と、前記電力が前記第１の端子へ供給され始められる毎に、通電および遮断のどちらか一方を循環的な規則にしたがって選択する選択部と、前記選択部により前記通電が選択された場合に前記電力を前記第２の端子へ供給し、前記選択部により前記遮断が選択された場合に前記電力を前記第２の端子へ供給しない供給回路と、を備えている。【選択図】図２
2014066963.tif 000002
【特許請求の範囲】
【請求項１】
外部から電力が供給される第１の端子と、
照明機器またはプロジェクターの受電端子に電気的に連結される第２の端子と、
前記電力が前記第１の端子へ供給され始められる毎に、通電および遮断のどちらか一方を循環的な規則にしたがって選択する選択部と、
前記選択部により前記通電が選択された場合に前記電力を前記第２の端子へ供給し、前記選択部により前記遮断が選択された場合に前記電力を前記第２の端子へ供給しない供給回路と、
を備えたアダプター。
【請求項２】
プロジェクターであって、
外部から電力が供給される受電端子と、
電源部と、
前記受電端子へ前記電力が供給され始められる毎に、通電および遮断のどちらか一方を循環的な規則にしたがって選択する選択部と、
前記選択部が前記通電を選択した場合に、前記電力を前記電源部へ供給し、前記選択部が前記遮断を選択した場合に、前記電力を前記電源部へ供給しない供給回路と、
を備え、
前記電源部が前記電力の供給を受けた場合に、前記プロジェクターがＯＮ状態になる、
プロジェクター。
【請求項３】
請求項２に記載のプロジェクターであって、
光源部をさらに備え、
前記ＯＮ状態は、前記光源部が光を射出する状態である、
プロジェクター。
【請求項４】
請求項２に記載のプロジェクターであって、
前記ＯＮ状態は、スタンバイ状態である、
プロジェクター。
【請求項５】
外部から電力が供給される受電端子を備えたプロジェクターの制御方法であって、
前記受電端子へ電力が供給され始められる毎に、通電および遮断のどちらか一方を循環的な規則にしたがって選択する選択ステップと、
前記選択ステップにて前記通電が選択された場合に、前記プロジェクターをＯＮ状態にし、前記選択ステップにて前記遮断が選択された場合に、前記プロジェクターをＯＮ状態にしないステップと、
を備えたプロジェクターの制御方法。
【請求項６】
請求項５に記載のプロジェクターの制御方法であって、
前記プロジェクターが光源部をさらに備え、
前記ＯＮ状態は、前記光源部が光を射出する状態である、
プロジェクターの制御方法。
【請求項７】
請求項５に記載のプロジェクターであって、
前記ＯＮ状態は、前記プロジェクターのスタンバイ状態である、
プロジェクターの制御方法。
【発明の詳細な説明】
【技術分野】
【０００１】
本発明は、アダプター、プロジェクターおよびその制御方法に関する。
【背景技術】
【０００２】
図７に示すプロジェクターは、照明機器に給電するソケットに結合される（特許文献１、２）。
【先行技術文献】
【特許文献】
【０００３】
【特許文献１】特開２００５−９９５８８号公報
【特許文献２】特開２００６−２２７１４３号公報
【発明の概要】
【発明が解決しようとする課題】
【０００４】
たとえば家庭、オフィス、店舗内では、共通の一つのスイッチで複数の照明機器を一斉（あるいは同位相）にＯＮ／ＯＦＦできるように配線されていることがある。そのように配線された複数の照明機器の一つをプロジェクターで置き換えた場合には、照明機器とプロジェクターとで、ＯＮ／ＯＦＦの状態が常に同じになる。そうするとそのままでは、たとえばユーザーが照明機器をＯＦＦした状態でプロジェクターを使用したい場合には、別途、照明機器用のスイッチを用意する必要が生じる。それは使用者にとって都合がよいとはいえない。なお、プロジェクターがＯＮ状態になるとは、その光源部の駆動が開始される場合と、プロジェクターがスタンバイ状態にセットされる場合との双方を含む。
【課題を解決するための手段】
【０００５】
本発明は、上述の課題の少なくとも一部を解決するためになされたものであり、以下の形態または適用例として実現することが可能である。
【０００６】
［適用例１］本発明のある態様によれば、アダプターは、外部から電力が供給される第１の端子と、照明機器またはプロジェクターの受電端子に電気的に連結される第２の端子と、前記電力が前記第１の端子へ供給され始められる毎に、通電および遮断のどちらか一方を循環的な規則にしたがって選択する選択部と、前記選択部により前記通電が選択された場合に前記電力を前記第２の端子へ供給し、前記選択部により前記遮断が選択された場合に前記電力を前記第２の端子へ供給しない供給回路と、を備えている。
【０００７】
［適用例２］本発明の他の態様によれば、プロジェクターは、外部から電力が供給される受電端子と、電源部と、前記受電端子へ前記電力が供給され始められる毎に、通電および遮断のどちらか一方を循環的な規則にしたがって選択する選択部と、前記選択部が前記通電を選択した場合に、前記電力を前記電源部へ供給し、前記選択部が前記遮断を選択した場合に、前記電力を前記電源部へ供給しない供給回路と、を備えている。そして、前記電源部が前記電力の供給を受けた場合に、前記プロジェクターがＯＮ状態になる。
【０００８】
［適用例３］さらに他の態様によれば、前記プロジェクターが光源部をさらに備え、前記ＯＮ状態は、前記光源部が光を射出する状態である。
【０００９】
［適用例４］さらに他の態様によれば、前記ＯＮ状態は、スタンバイ状態である。
【００１０】
［適用例５］本発明の他の態様によれば、外部から電力が供給される受電端子を備えたプロジェクターの制御方法が、前記受電端子へ電力が供給され始められる毎に、通電および遮断のどちらか一方を循環的な規則にしたがって選択する選択ステップと、前記選択ステップにて前記通電が選択された場合に、前記プロジェクターをＯＮ状態にし、前記選択ステップにて前記遮断が選択された場合に、前記プロジェクターをＯＮ状態にしないステップと、を備えている。
【００１１】
［適用例６］さらに他の態様によれば、前記プロジェクターが光源部をさらに備え、前記ＯＮ状態は、前記光源部が光を射出する状態である。
【００１２】
［適用例７］さらに他の態様によれば、前記ＯＮ状態は、前記プロジェクターのスタンバイ状態である。
【００１３】
以上の構成によれば、照明機器とプロジェクターとが共通の一つのスイッチを介して電源に電気的に接続されていても、その共通の一つのスイッチを開閉することで、一方がＯＮになり他方がＯＦＦになるＯＮ・ＯＦＦパターンを実現できる。
【図面の簡単な説明】
【００１４】
【図１】実施形態１の照明セット１のおけるアダプターの使用例を示す模式図。
【図２】実施形態１のアダプターの模式図。
【図３】実施形態１のアダプターにおける処理を示すフローチャート。
【図４】実施形態１のアダプターにおける処理を示すフローチャート。
【図５】実施形態２のプロジェクターの模式図。
【図６】実施形態３のアダプターの処理を示すフローチャート。
【図７】（Ａ）および（Ｂ）は背景技術に係るプロジェクターを示す側面図。
【発明を実施するための形態】
【００１５】
（実施形態１）
図１に示すとおり、本実施形態のアダプター２Ａ，２Ｂは、画像光を投写するプロジェクター１００と、照明光を照射する照明機器２００とが混在する「照明セット１」において用いられる。照明セット１は、プロジェクター１００と、照明機器２００と、２つのアダプター２Ａ，２Ｂと、２つの給電端子２０Ａ，２０Ｂと、電力線４０と、スイッチ５０と、を含んでいる。給電端子２０Ａ，２０Ｂには、電力線４０を介して、外部の１００Ｖ（６０Ｈｚまたは５０Ｈｚ）の電源６０から電力が供給されている。ここで、電力線４０は、電源６０からプロジェクター１００への電力の供給と、電源６０から照明機器２００への電力の供給とが、一つの共通のスイッチ５０を開閉することによって制御されるように、配線されている。なお、プロジェクター１００は、例えば、白色無地の画像光を投写することにより、照明機器としても機能し得る。
【００１６】
アダプター２Ａは給電端子２０Ａとプロジェクター１００との間に連結される。具体的には、アダプター２Ａは、端子３Ａと端子７Ａとを備えていて、端子３Ａが給電端子２０Ａに連結され、端子７Ａがプロジェクター１００の受電端子１０１（後述）に連結されることとなる。
【００１７】
アダプター２Ｂは給電端子２０Ｂと照明機器２００との間に連結される。具体的には、アダプター２Ｂは、端子３Ｂと端子７Ｂとを備えていて、端子３Ｂが給電端子２０Ｂに連結され、端子７Ｂが照明機器２００の受電端子２０２（後述）に連結されることとなる。
【００１８】
プロジェクター１００は受電端子１０１を有している。本実施形態の受電端子１０１は口金である。受電端子１０１が給電端子２０Ａまたはアダプター２Ａの端子７Ａに結合されることで、プロジェクター１００は給電端子２０Ａまたは端子７Ａに対して固定される。そして、プロジェクター１００が作動するための電力が、給電端子２０Ａまたは端子７Ａからプロジェクター１００に供給され得る。
【００１９】
照明機器２００は受電端子２０２を有している。本実施形態の受電端子２０２は、プロジェクター１００の受電端子１０１と同じタイプの口金である。受電端子２０２が給電端子２０Ｂまたはアダプター２Ｂの端子７Ｂに結合されることで、照明機器２００は給電端子２０Ｂまたは端子７Ｂに対して固定される。そして、照明機器２００が点灯するための電力が、給電端子２０Ｂまたは端子７Ｂから照明機器２００に供給され得る。なお、本実施形態の照明機器２００は、ＬＥＤ電球である。
【００２０】
アダプター２Ａの構成とアダプター２Ｂの構成とは、基本的に同じである。このため以下では、便宜上、アダプター２Ａの構成を説明する。
【００２１】
図２に示すとおり、アダプター２Ａは、端子３Ａと、供給回路４と、選択部５と、二次電池６と、端子７Ａと、を備えている。端子３Ａと端子７Ａとは、供給回路４を介して互いに電気的に接続され得る。供給回路４は、選択部５からの制御に応じて、端子３Ａと端子７Ａとの間を電気的に連結し、または電気的に遮断する。供給回路４は、リレー回路を含み、リレー回路によって供給回路４の機能（後述）が実現している。
【００２２】
選択部５は、制御部８と記憶部９とを備えていて、供給回路４が供給する電力により機能する。制御部８はＣＰＵを備えている。記憶部９は、ＲＡＭと、書き換え可能な不揮発性メモリーと、を備えている。記憶部９にはソフトウエアプログラムとデータとが書き込まれていて、制御部８のＣＰＵが当該データに基づいてソフトウエアプログラムを実行することで、選択部５としての後述する機能（図３および図４）が実現する。なお、選択部５の構成は、このような形態に限定されず、フリップフロップ回路を含んだ専用のハードウエアによって実現されてもよい。
【００２３】
二次電池６は、供給回路４からの電力で充電され、充電された電力を選択部５へ供給するように接続されている。このような構成によって、スイッチ５０がＯＦＦされたとき（端子３Ａへの電力が停止されたとき）に、アダプター２Ａは、（１）二次電池６からの電力によって選択部５をスタンバイ状態に保ち、（２）端子３Ａへの電力の供給が始まった場合に当該供給の始まりを即座に検出することができ、そして、（３）検出に引き続いて端子３Ａに与えられた電力を端子７Ａに通電するか遮断するかの判定を迅速に処理できる。ただし、二次電池６がなくても本実施形態の機能は達成されることから、二次電池６は本発明にとって必須の構成ではない。
【００２４】
以下では、まず、照明セット１の作動の概要を説明し、その後、当該作動を実現するためのアダプター２Ａ，２Ｂの機能を説明する。
【００２５】
あるタイミングで、ユーザーがスイッチ５０を開（ＯＦＦ）から閉（ＯＮ）にする。そうすると、給電端子２０Ａ，２０Ｂから端子３Ａ，３Ｂに電力が供給される。この場合、当該電力はアダプター２Ａ，２Ｂによって、プロジェクター１００と照明機器２００とに供給される。このことによって、プロジェクター１００は画像光または照明光を投写し始め、かつ照明機器２００は点灯し始める。
【００２６】
その後、ユーザーがスイッチ５０を閉（ＯＮ）から開（ＯＦＦ）にする。そうすると、プロジェクター１００は投写を停止し、かつ照明機器２００は消灯する。
【００２７】
その後、ユーザーがスイッチ５０を開（ＯＦＦ）から閉（ＯＮ）にする。そうすると、給電端子２０Ａ，２０Ｂから端子３Ａ，３Ｂに電力が供給される。ただしこの場合、当該電力は、アダプター２Ａによってプロジェクター１００へは供給されず、アダプター２Ｂによって照明機器２００へは供給される。この結果、プロジェクター１００は投写を停止したままとなるが、照明機器２００は点灯する。
【００２８】
その後、ユーザーがスイッチ５０を閉（ＯＮ）から開（ＯＦＦ）にする。そうすると、照明機器２００は消灯する。
【００２９】
その後、ユーザーがスイッチ５０を開（ＯＦＦ）から閉（ＯＮ）にする。そうすると、給電端子２０Ａ，２０Ｂから端子３Ａ，３Ｂに電力が供給される。ただしこの場合、当該電力は、アダプター２Ａによってプロジェクター１００へは供給されるが、アダプター２Ｂによって照明機器２００へは供給されない。この結果、プロジェクター１００は画像光または照明光を投写し始め、他方、照明機器２００は消灯したままとなる。
【００３０】
その後、ユーザーがスイッチ５０を閉（ＯＮ）から開（ＯＦＦ）にする。そうすると、プロジェクター１００は投写を停止する。
【００３１】
その後、ユーザーがスイッチ５０を開（ＯＦＦ）から閉（ＯＮ）にする。そうすると、給電端子２０Ａ，２０Ｂから端子３Ａ，３Ｂに電力が供給される。この場合、当該電力はアダプター２Ａ，２Ｂによって、プロジェクター１００と照明機器２００とに供給される。このことによって、再び、プロジェクター１００は画像光または照明光を投写し始め、かつ照明機器２００は点灯し始める。
【００３２】
以上説明した作動をアダプター２Ａ，２Ｂの機能に着目してまとめると、以下のようになる。
【００３３】
アダプター２Ａにおいては、端子３Ａに電力が供給され始める毎に、端子３Ａと端子７Ａとの間の電力の通電および遮断のいずれか一方が、（通電→遮断→通電）という規則にしたがって順次選択される。しかも、この規則は循環的であり、（通電→遮断→通電）という規則の単位が繰り返される。
【００３４】
アダプター２Ｂにおいては、端子３Ｂに電力が供給され始める毎に、端子３Ｂと端子７Ｂとの間の電力の通電および遮断のいずれか一方が、（通電→通電→遮断）という規則にしたがって順次選択される。しかも、この規則は循環的であり、（通電→通電→遮断）という規則の単位が繰り返される。
【００３５】
図３を参照しながら、アダプター２Ａの機能をさらに詳細に説明する。
【００３６】
図３に示すとおり、あるタイミングで、スイッチ５０が閉（ＯＮ）にされる。そうすると、給電端子２０Ａから端子３Ａに電力が供給される（Ｓ１）。端子３Ａへの電力の供給に応じて、スタンバイ状態にあった制御部８が起動する。そして、制御部８は、記憶部９における不揮発性メモリーに記憶されていたＮの値を読み出し、読み出した当該Ｎの値をインクリメント（元の値に「１」を加算）する（Ｓ２）。ここで、「Ｎ」は自然数型の変数であるが、変数の型はこれに限定されない。次に、制御部８は、Ｎの値が「１」か否かを判定する（Ｓ３）。Ｎの値が「１」の場合（Ｓ３：ＹＥＳ）には、端子３Ａと端子７Ａとの間が通電するように、制御部８は供給回路４を制御する（Ｓ４）。そして、制御部８は、スイッチ５０がＯＦＦされるのを待つ状態になる（Ｓ９）。なお、ステップＳ２においてインクリメントされたＮの値は、記憶部９における不揮発性メモリーに記憶される。
【００３７】
ステップＳ３において、Ｎの値が「１」でない場合（Ｓ３：ＮＯ）には、制御部８はＮの値が「２」か否かを判定する（Ｓ５）。Ｎの値が「２」の場合（Ｓ５：ＹＥＳ）には、端子３Ａと端子７Ａとの間が非通電のまま維持されるように、制御部８は供給回路４を制御する（ＳＡ６）。つまり、端子３Ａに供給される電力は供給回路４によって遮断される。そして、制御部８は、スイッチ５０がＯＦＦされるのを待つ状態になる（Ｓ９）。
【００３８】
ステップＳ３およびＳ５において、Ｎが「１」でも「２」でもない場合（Ｓ３：ＮＯかつＳ５：ＮＯ）には、制御部８はＮの値を「０」とする（Ｓ７）。そのうえで、端子３Ａと端子７Ａとの間が通電するように、制御部８は供給回路４を制御する（ＳＡ８）。そして、制御部８は、スイッチ５０がＯＦＦされるのを待つ状態になる（Ｓ９）。なお、ステップＳ７において「０」となったＮの値は、記憶部９における不揮発性メモリーに記憶される。
【００３９】
図４を参照しながら、アダプター２Ｂの機能をさらに詳細に説明する。
【００４０】
図４に示すとおり、ステップＳ３がＹＥＳの場合にステップＳ１からステップＳ４を経由しステップＳ９に至るフローは、アダプター２Ａにおける対応フローと同じである。なお、図４において、図３におけるステップと同じステップには図３における符合と同じ符号を付している。
【００４１】
ステップＳ３において、Ｎの値が「１」でない場合（Ｓ３：ＮＯ）には、制御部８はＮの値が「２」か否かを判定する（Ｓ５）。Ｎの値が「２」の場合（Ｓ５：ＹＥＳ）には、端子３Ｂと端子７Ｂとの間が通電するように、制御部８は供給回路４を制御する（ＳＢ６）。そして、制御部８は、スイッチ５０がＯＦＦされるのを待つ状態になる（Ｓ９）。
【００４２】
ステップＳ３およびＳ５において、Ｎの値が「１」でも「２」でもない場合（Ｓ３がＮＯ、かつＳ５がＮＯ）には、制御部８はＮの値を「０」とする（Ｓ７）。そのうえで、端子３Ａと端子７Ａとの間が非通電のまま維持されるように、制御部８は供給回路４を制御する（ＳＢ８）。つまり、端子３Ｂに供給される電力は供給回路４によって遮断される。そして、制御部８は、スイッチ５０がＯＦＦされるのを待つ状態になる（Ｓ９）。なお、ステップＳ７において「０」となったＮの値は、記憶部９における不揮発性メモリーに記憶される。
【００４３】
以上のような構成によって、アダプター２Ａの端子３Ａに電力が供給され始める毎に、プロジェクター１００への電力の通電および遮断の一方が、（通電→遮断→通電）の規則にしたがって循環的に選択される。他方では、アダプター２Ｂの端子３Ｂに電力が供給され始める毎に、照明機器２００への電力の通電および遮断の一方が、（通電→通電→遮断）の規則にしたがって循環的に選択される。
【００４４】
この結果、ある時点でスイッチ５０をＯＮした場合には、プロジェクター１００にも照明機器２００にも電力が供給される。その後、スイッチ５０をＯＦＦにしその後ＯＮにした場合には、プロジェクター１００には電力が供給されないが、照明機器２００には電力が供給される。さらにその後、スイッチ５０をＯＦＦにしその後ＯＮにすると、プロジェクター１００には電力が供給されるが、照明機器２００には電力が供給されない。さらにその後、スイッチ５０をＯＦＦにしその後ＯＮにすると、プロジェクター１００にも照明機器２００にも電力が供給される。
【００４５】
したがって、共通の一つのスイッチ５０の開閉によって、プロジェクター１００および照明機器２００のＯＮとＯＦＦとが、別々に実現できる。
【００４６】
（実施形態２）
本実施形態によれば、アダプター２Ａの構成と当該構成により実現される機能とが、プロジェクター１００’に内蔵されている。なお、本実施形態において、実施形態１における構成要素と同様な構成要素には同じ符号が付され、その説明は省略されている。
【００４７】
図５のプロジェクター１００’は、受電端子１０１と、供給回路１０４と、選択部１０５と、二次電池１０６と、電源部１０７と、光源部１１０と、照射光学系１１１と、空間光変調装置１１２と、投写光学系１１３と、を備えている。電源部１０７には、受電端子１０１に供給された電力が供給回路１０４を介して与えられる。電源部１０７は、供給回路１０４から供給された電力を光源部１１０および空間光変調装置１１２をはじめとする各部に供給する。なお、本実施形態の光源部１１０は、光源と、当該光源を駆動する駆動回路と、を備えている。光源部１１０が備える光源は、ＬＥＤ（発光ダイオード）光源である。
【００４８】
選択部１０５は、制御部１０８と記憶部１０９とを備えていて、供給回路１０４を経た電力により機能する。記憶部１０９は、実施形態１の記憶部９の機能と同様の機能を有する。
【００４９】
選択部１０５は、受電端子１０１に電力が供給され始める毎に、受電端子１０１と電源部１０７との間の電力の通電および遮断のいずれか一方を、（通電→遮断→通電）の規則にしたがって循環的に選択する。実施形態１と同様に、この規則は循環的であり、（通電→遮断→通電）という規則の単位が繰り返される。選択部１０５が通電を選択した場合には、供給回路１０４は電源部１０７へ電力を供給し、選択部１０５が遮断を選択した場合には、供給回路１０４は電源部１０７へ電力を供給しないこととなる。
【００５０】
電源部１０７が供給回路１０４から電力の供給を受けた場合には、プロジェクター１００’がＯＮ状態となる。ここで、本明細書を通して、「プロジェクター」が「ＯＮ」または「ＯＮ状態」になるとは、電源部１０７が光源部１１０に電力を供給し、この結果、光源部１１０から光が射出される場合と、電源部１０７がプロジェクター１００’をスタンバイ状態にセットする場合と、を含むように定義されている。プロジェクター１００’のスタンバイ状態とは、プロジェクター１００’が、プロジェクター１００’の外部のリモートコントローラー（図示せず）からの起動コマンドを待つ状態であり得るし、またはプロジェクター１００’の筐体表面に取り付けたボタン（図示せず）からの起動コマンドを待つ状態のことであり得る。当該スタンバイ状態の期間中、電源部１０７は、起動コマンドを待つために必要な電力をプロジェクター１００’の各部に供給する。スタンバイ状態の期間中、光源部１１０における光源は点灯しない。そして、スタンバイ状態の期間中に起動コマンドが入力されると、電源部１０７が光源部１１０に電力を供給する。そうすると、駆動回路が光源を駆動することで当該光源が点灯し、その結果、光源部１１０から光が射出する。
【００５１】
光源部１１０から光が射出されると、射出された光は、照射光学系１１１を介して空間光変調装置１１２に入射し、空間光変調装置１１２によって画像信号に基づいて変調される。そして、空間光変調装置１１２で変調された光（画像光）が、投写光学系１１３により外部に投写され、画像として表示される。光源部１１０からの光を利用して、プロジェクター１００が照明光を投写してもよい。この場合には、空間光変調装置１１２は、光源部１１０からの光を一様に透過するだけでもかまわない。
【００５２】
以上のような構成によって、本実施形態では、実施形態１のアダプター２Ａなしでも、実施形態１と同様に、共通の一つのスイッチ５０の開閉によって、プロジェクター１００’および照明機器２００のＯＮとＯＦＦとが、別々に実現できる。
【００５３】
なお、電源部１０７を「電源回路」と定義してもよいし、供給回路１０４の機能を実現する部分と、選択部１０５の機能を実現する部分と、電源部１０７の機能を実現する部分とを含む構成を「電源回路」と定義してもよい。
【００５４】
（実施形態３）
実施形態１のアダプター２Ａを省略することでプロジェクター１００の受電端子１０１を給電端子２０Ａに直接連結する場合には、スイッチ５０がＯＮになったときに常にプロジェクター１００がＯＮとなり、スイッチ５０がＯＦＦになったときに常にプロジェクター１００がＯＦＦとなる。このような配置において、アダプター２Ｂの端子３Ｂに電力が供給され始める毎に、照明機器２００への電力の通電および遮断のいずれか一方が、（通電→遮断）の規則にしたがって循環的に繰り返されるように、アダプター２Ｂが構成されてもよい。
【００５５】
図６を参照しながら、アダプター２Ｂの機能を説明する。
【００５６】
図６に示すとおり、ステップＳ３がＹＥＳの場合にステップＳ１からステップＳ４を経由しステップＳ９に至るフローは、図３を参照して説明したアダプター２Ａにおける対応フローと同じである。なお、図６において、図３におけるステップと同じステップには図３における符合と同じ符号を付している。
【００５７】
図６に示すとおり、ステップＳ３において、Ｎの値が「１」でない場合（Ｓ３：ＮＯ）には、制御部８はＮの値を「０」とする（ＳＣ５）。そのうえで、端子３Ｂと端子７Ｂとの間が非通電のまま維持されるように、制御部８は供給回路４を制御する（ＳＣ６）。つまり、端子３Ｂに供給される電力は供給回路４によって遮断される。そして、制御部８は、スイッチ５０がＯＦＦされるのを待つ状態になる（Ｓ９）。「０」にされたＮの値は、記憶部９における不揮発性メモリーに記憶される。
【００５８】
以上の実施形態１から３によれば、アダプター２Ａ，２Ｂ、およびプロジェクター１００’によって、照明機器２００とプロジェクター１００，１００’とが共通の一つのスイッチ５０を介して電源６０に電気的に接続されていても、そのスイッチ５０を開閉することで、一方がＯＮになり他方がＯＦＦになるＯＮ・ＯＦＦパターンを実現できる。
【００５９】
（変形例１）
実施形態１では、プロジェクター１００と照明機器２００とが混在する態様を例に説明したが、プロジェクター１００のみが複数含まれる態様や、照明機器２００のみが複数含まれる態様にも適用可能である。例えば、複数のプロジェクター１００のうち、一部のプロジェクター１００にはアダプター２Ａを取り付け、他のプロジェクター１００にはアダプター２Ｂを取り付ければ、一部のプロジェクター１００のみをＯＮにすることが可能となる。同様に、複数の照明機器２００のうち、一部の照明機器２００にはアダプター２Ａを取り付け、他の照明機器２００にはアダプター２Ｂを取り付ければ、一部の照明機器２００のみをＯＮにすることが可能となる。
【００６０】
（変形例２）
実施形態１では、プロジェクター１００が従う規則と、照明機器２００が従う規則の２つの規則を組み合わせているが、３つ以上の規則を組み合わせるようにしてもよい。
【００６１】
（変形例３）
通電と遮断の順序（規則）は、ハードウエア、またはソフトウエアによって変更（選択）できるようにすることが望ましい。また、電源６０が直流電源の場合には、直流電力に対応しつつ上記実施形態の機能を発揮するようにアダプター２Ａ，２Ｂ，プロジェクター１００，１００’を改変すればよい。
【符号の説明】
【００６２】
１…照明セット、２Ａ，２Ｂ…アダプター、３Ａ，３Ｂ…端子、４…供給回路、５…選択部、６…二次電池、７Ａ，７Ｂ…端子、８…制御部、９…記憶部、２０Ａ，２０Ｂ…給電端子、４０…電力線、５０…スイッチ、６０…電源、１００…プロジェクター、１００’…プロジェクター、１０１…受電端子、１０４…供給回路、１０５…選択部、１０６…二次電池、１０７…電源部、１０８…制御部、１０９…記憶部、１１０…光源部、１１１…照射光学系、１１２…空間光変調装置、１１３…投写光学系、２００…照明機器。
【図１】
2014066963.tif 000003
【図２】
2014066963.tif 000004
【図３】
2014066963.tif 000005
【図４】
2014066963.tif 000006
【図５】
2014066963.tif 000007
【図６】
2014066963.tif 000008
【図７】
2014066963.tif 000009